(57)【要約】【課題】写真処理装置に発生したトラブル等に対処する際の利便性を向上させる。【解決手段】オペレータに報知するものとして予め設定されている事象が発生したしたときに、無線式報知手段ＲＡが携帯型端末ＨＴが報知して、携帯型端末ＨＴに設定報知動作を行わせる写真処理装置において、オペレータの対処を要求するものとして予め設定されている端末報知用の事象が生じたときにのみ、その端末報知用の事象が発生したことを示す事象発生信号を前記検知情報として前記携帯型端末に対して送信し、前記携帯型端末ＨＴにおいては、前記設定報知動作が設定間隔で繰り返し実行され、且つ、前記携帯型端末への報知の原因となった事象が解消したときに、前記設定報知動作の繰り返しを停止するように構成されている。【選択図】図１
2006243382.tif 000002
【特許請求の範囲】
【請求項１】
オペレータに報知するものとして予め設定されている事象が発生したことを検知する検知手段と、前記検知手段の検知情報を報知する報知手段とが設けられ、
前記報知手段に、オペレータが所持する無線通信機能付きの携帯型端末へ前記検知情報を報知する無線式報知手段が含まれるように構成され、
前記携帯型端末が、前記無線式報知手段からの前記検知情報の報知を受信するに伴って、オペレータに報知するための設定報知動作を行うように構成されている写真処理装置であって、
前記無線式報知手段は、前記検知手段にて発生を検知した事象のうちオペレータの対処を要求するものとして予め設定されている端末報知用の事象が生じたときにのみ、その端末報知用の事象が発生したことを示す事象発生信号を前記検知情報として前記携帯型端末に対して送信し、且つ、前記端末報知用の事象以外の事象が生じたときには前記検知情報を前記携帯型端末に送信しないように構成され、
前記携帯型端末においては、前記設定報知動作が設定間隔で繰り返し実行され、且つ、前記検知手段が前記携帯型端末への報知の原因となった事象が解消したことを検知したときに、前記設定報知動作の繰り返しを停止するように構成されている写真処理装置。
【請求項２】
前記無線式報知手段は、前記事象発生信号を複数の前記携帯型端末に対して送信するように構成されている請求項１記載の写真処理装置。
【請求項３】
前記無線式報知手段は、前記検知手段が前記携帯型端末への報知の原因となった事象が解消したことを検知したときに、前記携帯型端末への前記報知の原因となった事象が解消したことを示す事象解消信号を複数の前記携帯型端末へ送信するように構成され、
前記携帯型端末は、前記事象解消信号の受信に伴って、前記事象解消信号に対応するメッセージを表示するための解消メッセージ表示手段が備えられて構成されている請求項２記載の写真処理装置。
【請求項４】
前記携帯型端末への報知の原因となった事象を解消するための修復操作が開始されたことを検知する修復操作検知手段が設けられ、
前記無線式報知手段は、前記修復操作検知手段が前記修復操作の開始を検知したときに、前記修復操作が開始されたことを示す修復開始信号を複数の前記携帯型端末へ送信するように構成され、
前記携帯型端末は、前記修復開始信号の受信に伴って、前記修復開始信号に対応するメッセージを表示するための修復開始メッセージ表示手段が備えられて構成されている請求項２又は３記載の写真処理装置。
【請求項５】
前記携帯型端末は、前記設定報知動作として前記携帯型端末の筐体を振動させるための振動装置が備えられて構成されている請求項１〜４のいずれか１項に記載の写真処理装置。
【請求項６】
前記無線式報知手段は、前記端末報知用の事象を、常に携帯型端末に報知する事象と、携帯型端末に報知するか否かを切換え設定可能な事象とに区分し、前記検知手段が検知した事象が前記切換え設定可能な事象であるときに、その事象が前記携帯型端末に報知するか否かについての設定情報に基づいて、携帯型端末に報知するか否かを切換えるように構成されている請求項１〜５のいずれか１項に記載の写真処理装置。
【発明の詳細な説明】
【技術分野】
【０００１】
本発明は、オペレータに報知するものとして予め設定されている事象が発生したことを検知する検知手段と、前記検知手段の検知情報を報知する報知手段とが設けられ、前記報知手段に、オペレータが所持する無線通信機能付きの携帯型端末へ前記検知情報を報知する無線式報知手段が含まれるように構成され、前記携帯型端末が、前記無線式報知手段からの前記検知情報の報知を受信するに伴って、オペレータに報知するための設定報知動作を行うように構成されている写真処理装置に関する。
【背景技術】
【０００２】
写真処理装置においては、装置の構成機器にトラブルが発生した場合や、写真処理装置にセットされている消耗品に補充が必要となったとき等に、各種の検知手段にてそれを検知して、写真処理装置に備えられた表示手段にその検知情報を表示する手法やその他の手法によってオペレータに報知することがよく行われている。
この報知の手法としては、写真処理装置自体において報知する手法の他に、従来、下記特許文献１に記載のように、オペレータが所持する無線通信式の携帯型端末に対して報知して、写真処理装置から離れた位置で作業するオペレータに対しても的確に報知することも考えられている。
【特許文献１】特開平１１−１２５８９１号公報
【発明の開示】
【発明が解決しようとする課題】
【０００３】
しかしながら、近年のメンテナンス作業の簡単化よって、オペレータが各種の作業を重複して担当する場合や、写真処理とは関係のない作業まで担当する場合も多くなっているが、そのような管理形態を採るときに、単に携帯型端末に報知するだけでは必ずしもトラブル等に対処し易いものではなかった。
本発明は、かかる実情に鑑みてなされたものであって、その目的は、写真処理装置に発生したトラブル等に対処する際の利便性を向上させる点にある。
【課題を解決するための手段】
【０００４】
本出願の第１の発明は、オペレータに報知するものとして予め設定されている事象が発生したことを検知する検知手段と、前記検知手段の検知情報を報知する報知手段とが設けられ、前記報知手段に、オペレータが所持する無線通信機能付きの携帯型端末へ前記検知情報を報知する無線式報知手段が含まれるように構成され、前記携帯型端末が、前記無線式報知手段からの前記検知情報の報知を受信するに伴って、オペレータに報知するための設定報知動作を行うように構成されている写真処理装置において、前記無線式報知手段は、前記検知手段にて発生を検知した事象のうちオペレータの対処を要求するものとして予め設定されている端末報知用の事象が生じたときにのみ、その端末報知用の事象が発生したことを示す事象発生信号を前記検知情報として前記携帯型端末に対して送信し、且つ、前記端末報知用の事象以外の事象が生じたときには前記検知情報を前記携帯型端末に送信しないように構成され、前記携帯型端末においては、前記設定報知動作が設定間隔で繰り返し実行され、且つ、前記検知手段が前記携帯型端末への報知の原因となった事象が解消したことを検知したときに、前記設定報知動作の繰り返しを停止するように構成されている。
【０００５】
すなわち、写真処理装置においてオペレータに対して報知するように予め設定されている事象のうち、オペレータの対処を要求するものとして予め設定されている事象が発生した場合だけ、携帯型端末に報知する。
このようにすることで、例えば、印画紙や現像処理液の補充液等の消耗品が無くなった場合や、紙詰まりが発生したような場合のように、オペレータが緊急に対処することによって装置の処理能力の低下を抑制できるような事象を、携帯型端末に報知すべき事象として設定しておき、写真処理装置のメンテナンスを行う事業者に連絡してサービスマンを派遣してもらわないと修復できないようなエラーが発生した場合や、オペレータが迅速に対処する必要のないような軽微なエラーについては、携帯型端末には報知しないようにすることができる。
【０００６】
更に、前記検知手段が携帯型端末に報知すべき事象の発生検知した後は、携帯型端末において、オペレータの注意を喚起する前記設定報知動作が繰り返して実行されるので、一度は写真処理装置からの報知を認識したオペレータが、他の作業を行っているうちに必要な対処を行うのを忘れてしまうというような事態を回避できる。
尚、前記設定報知動作の繰り返しを停止させるについては、いずれかオペレータが必要な対処を開始した時点で、解除ボタンを操作すること等によって、強制的に停止させるようなことも考えられるが、実際に必要な対処が完了した時点で報知を停止することで、報知の解除操作だけを行って何もしないまま必要な対処を行うのを忘れてしまうような事態を回避できることにもなっている。
【０００７】
ちなみに、携帯型端末に前記設定報知動作を設定間隔を空けて繰り返し実行させたり、前記設定報知動作の繰り返しを停止させたりするには、前記繰り返しを無線式報知手段側から直接に管理するときは、前記事象発生信号を設定間隔を空けて繰り返し送信して前記設定報知動作を設定間隔を空けて繰り返し実行させると共に、前記事象発生信号の送信を停止することで前記設定報知動作の繰り返しを停止させることができ、前記繰り返しを携帯型端末側で管理するときは、前記無線式報知手段から前記事象発生信号を受け取った後、携帯型端末側に備えられているタイマにて設定間隔を計時して、前記設定報知動作を設定間隔を空けて繰り返し実行させると共に、前記検知手段が前記携帯型端末への報知の原因となった事象が解消したことを検知したときに、その旨を示す信号を無線式報知手段から受け取って前記設定報知動作の繰り返しを停止させることができる。
【０００８】
又、本出願の第２の発明は、上記第１の発明の構成に加えて、前記無線式報知手段は、前記事象発生信号を複数の前記携帯型端末に対して送信するように構成されている。
すなわち、写真処理装置が事象の発生について報知するのは複数の携帯型端末を対象とするが、オペレータのうちのいずれかが必要な対処を行って写真処理装置が通常の動作状態に戻ったときに、前記設定報知動作の繰り返しが停止するので、対処に関与しなかったオペレータにも必要な対処を完了したことが伝わり、自身が写真処理装置の設置箇所に移動する無駄を排除できる。
【０００９】
又、本出願の第３の発明は、上記第２の発明の構成に加えて、前記無線式報知手段は、前記検知手段が前記携帯型端末への報知の原因となった事象が解消したことを検知したときに、前記携帯型端末への前記報知の原因となった事象が解消したことを示す事象解消信号を複数の前記携帯型端末へ送信するように構成され、前記携帯型端末は、前記事象解消信号の受信に伴って、前記事象解消信号に対応するメッセージを表示するための解消メッセージ表示手段が備えられて構成されている。
従って、携帯型端末を所持するオペレータは、写真処理装置からの報知が停止したことによってだけではなく、メッセージによっても必要な対処が既に実行されたことを把握できる。
【００１０】
又、本出願の第４の発明は、上記第２又は第３の発明の構成に加えて、前記携帯型端末への報知の原因となった事象を解消するための修復操作が開始されたことを検知する修復操作検知手段が設けられ、前記無線式報知手段は、前記修復操作検知手段が前記修復操作の開始を検知したときに、前記修復操作が開始されたことを示す修復開始信号を複数の前記携帯型端末へ送信するように構成され、前記携帯型端末は、前記修復開始信号の受信に伴って、前記修復開始信号に対応するメッセージを表示するための修復開始メッセージ表示手段が備えられて構成されている。
従って、報知の停止によって必要な対処が完了したことを知るのに先立って、いずれかのオペレータがその対処に着手したことを認識することができる。
【００１１】
又、本出願の第５の発明は、上記第１〜第４のいずれかの発明の構成に加えて、前記携帯型端末は、前記設定報知動作として前記携帯型端末の筐体を振動させるための振動装置が備えられて構成されている。
すなわち、近年、写真処理装置はプリントショップのような写真処理専業店以外に、ド例えばラッグストアのような他業種との併設店舗に設置される場合が多くなりつつあるが、そのような店舗では、オペレータが一般顧客に近接して各種の業務を行うため、写真処理装置から携帯型端末への報知が呼び出し音を伴うものであると、一般顧客に不快感を与えてしまう場合もある。
そこで、写真処理装置において所定の事象が発生したことを報知する際は、携帯型端末の筐体を振動させることによってオペレータに知らせるようにしたものである。
【００１２】
又、本出願の第６の発明は、上記第１〜第５のいずれかの発明の構成に加えて、前記無線式報知手段は、前記端末報知用の事象を、常に携帯型端末に報知する事象と、携帯型端末に報知するか否かを切換え設定可能な事象とに区分し、前記検知手段が検知した事象が前記切換え設定可能な事象であるときに、その事象が前記携帯型端末に報知するか否かについての設定情報に基づいて、携帯型端末に報知するか否かを切換えるように構成されている。
すなわち、写真処理装置から携帯型端末へ報知する発生事象としては、例えば消耗品が無くなったことを通知する場合のように、オペレータが必要な対処を行わないと機器が停止してしまうような事象と、例えば消耗品が残り少なくなったことを通知する場合のように、直ちにオペレータが対処しなくてもとりあえず機器は稼働を続けるような事象とがある。
機器が停止に至るような事象は必ずオペレータに通知して必要な対処を要求する必要があるが、必ずしも緊急な対応を要求しないような事象については、店舗の実情に応じて事象の発生を通知するか否かを設定できるようにしている。
【発明の効果】
【００１３】
上記第１の発明によれば、オペレータが写真処理装置の設置箇所に移動して必要な対処を行うことが合理的であるような事象の発生した場合に限って、オペレータが所持する携帯型端末に報知することで、オペレータに無用な不安感や作業負担を与えるのを回避できると共に、前記設定報知動作を定期的に繰り返すことで注意を喚起することができる。
もって、写真処理装置に発生したトラブル等に対処する際の利便性を向上できるに至った。
又、上記第２の発明によれば、写真処理装置への必要な対処に関与しなかったオペレータにも必要な対処の完了が伝わって、自身が写真処理装置の設置箇所に移動する無駄を排除でき、更に利便性を向上できる。
【００１４】
又、上記第３の発明によれば、携帯型端末を所持するオペレータは、写真処理装置からの報知が停止したことによってだけではなく、メッセージによって必要な対処が既に実行されたことを把握できるので、写真処理装置に発生したトラブル等に対処する際の利便性を更に向上できる。
又、上記第４の発明によれば、報知の停止によって必要な対処が完了したことを知るのに先立って、その対処に着手したことを認識することができるので、オペレータの一人が必要な対処に着手したのを知らずに、他のオペレータが重複して対処に向かうのを回避できる。
【００１５】
又、上記第５の発明によれば、写真処理装置から携帯型端末へ所定の事象が発生したことを報知する際は、携帯型端末の筐体を振動させることによってオペレータに知らせることで、一般顧客等の他者に不快感を与えてしまうのを回避できる。
又、上記第６の発明によれば、機器が停止に至るような事象は必ずオペレータに通知して必要な対処を要求するが、必ずしも緊急な対応を要求しないような事象については、店舗の実情に応じて事象の発生を通知するか否かを設定できるので、写真処理装置に発生したトラブル等に対処する際の利便性をより一層向上できる。
【発明を実施するための最良の形態】
【００１６】
以下、本発明の写真処理装置を写真プリントシステムに適用した場合の実施の形態を図面に基づいて説明する。
本実施の形態で例示する写真プリントシステムＤＰは、ブロック構成図として示す図１及び図２、並びに、店舗に設置した状態の外観を示す図３に示すように、写真プリント装置ＥＰと、各種のソースから画像データを取込んで所定の画像処理を施した後に写真プリント装置ＥＰへ送る画像データを生成する画像入力装置ＩＲとを主要部として構成されている。
本実施の形態では、図３に示すように、ドラッグストア等の店舗内をカウンタ５１にて仕切って写真プリントシステムＤＰを設置し、店舗の複数の従業員が写真プリントシステムＤＰのオペレータとしての業務を兼務する場合を想定して説明する。
従って、各オペレータは、接客あるいは商品の管理等の写真処理とは無関係の業務も併せて担当しており、自動運転している写真プリントシステムＤＰから離れて作業をしている場合が多い。
このため、図１に概略的に示しているが、各オペレータは無線通信機能付きの携帯型端末ＨＴを所持しており、写真プリントシステムＤＰ側との無線通信によって、写真プリントシステムＤＰの情報が各オペレータに伝達されるようにしている。
この携帯型端末ＨＴは、いわゆるＰＤＡと称される個人用の携帯情報端末に無線通信用の拡張カードを装備したもので良いが、任意のアプリケーションを組み込んで実行できる携帯電話装置や、更には、ポケットベル等を利用することによっても実現できる。更には、このような汎用の機器を利用するのではなく、写真プリントシステムＤＰに専用の携帯型端末ＨＴを備えるものでも良い。
【００１７】
〔画像入力装置ＩＲの概略構成〕
画像入力装置ＩＲには、図１に概略的に示すように、写真フィルムの駒画像を読み取るフィルムスキャナ３と、パーソナルコンピュータにて構成される主制御装置４と、フィルムスキャナ３等から入力された写真プリント作製用の画像データを補正処理する画像処理装置５と、携帯型端末ＨＴと無線通信するための無線通信インターフェース２１とが備えられ、主制御装置４には、メモリーカードリーダ，光磁気ディスクドライブ及びＣＤ−Ｒ／ＲＷドライブ等を備えた外部入出力装置４ａと、仕上がりプリント画像をシミュレートしたシミュレート画像や各種の制御用の情報を表示するモニタ４ｂと、操作卓４ｃとが接続されている。図示を省略するが、主制御装置４を操作するためのマウスも接続されている。
無線通信インターフェース２１は、携帯型端末ＨＴの通信機能と直接通信する形式でも良いし、携帯電話網等を介して通信する形式でも良い。
【００１８】
〔写真プリント装置ＥＰの全体構成〕
写真プリント装置ＥＰは、筐体内部に、画像形成装置ＥＸと、画像形成装置ＥＸにて画像が露光形成された印画紙２を現像処理する現像処理装置ＰＰと、筐体上部側に設置された印画紙マガジン６から引き出された印画紙２を多数の搬送ローラ９等にて現像処理装置ＰＰへ搬送する印画紙搬送系ＰＴとが設けられている。
写真プリント装置ＥＰの筐体外部には、図３に示すように、現像処理装置ＰＰにて現像処理及び乾燥処理された印画紙２をオーダ毎に分類するためのトレイ巡回式のソータ７と、現像処理装置ＰＰから排出された印画紙２をソータ７へ搬送するコンベア８とが設けられている。
印画紙搬送系ＰＴの搬送経路の途中には、印画紙マガジン６から引き出された長尺の印画紙２を設定プリントサイズに切断するカッタ１０が備えられている。
更に、印画紙マガジン６内には、ロール状に収納されている印画紙２の後端を検出することで印画紙切れを検知するペーパエンドセンサ１１が備えられ、現像処理装置ＰＰに対して現像処理液を補充する補充液タンクには、補充液の液量を検出する補充液センサ１２が備えられ、ソータ７の各トレイ７ａには、印画紙２（仕上がりプリント）の存否を検出するトレイペーパセンサ１３が備えられている。
これらのセンサの検出情報は、後述の露光制御装置１４を経て主制御装置４へ送られる。
【００１９】
〔画像形成装置ＥＸの構成〕
画像形成装置ＥＸは、印画紙２上に露光画像を形成する画像形成ヘッド１５と、画像形成ヘッド１５を制御する露光制御装置１４とを主要部として構成されている。
画像形成ヘッド１５は、設定プリントサイズに切断された印画紙２の搬送経路の途中箇所を画像形成位置とするように取り付けられ、その画像形成位置において印画紙搬送方向（副走査方向）と直交する方向（主走査方向）でレーザビームを走査する。
画像形成ヘッド１５から出射されるレーザビームは、露光制御装置１４の制御によって、画像処理装置５から入力された画像データに基づいて強度変調されている。
印画紙搬送系ＰＴにて搬送駆動される印画紙２に対して上述のように強度変調されたレーザビームが走査されることで、印画紙２上に画像が露光形成され、それが現像処理装置ＰＰにて現像処理されると写真プリントとして仕上がる。
【００２０】
〔写真プリントシステムＤＰの管理〕
上述のように、オペレータが複数人存在するが、いずれのオペレータも写真プリントシステムＤＰの本体の設置箇所を離れがちな状況下においても、写真プリントシステムＤＰが効率良く動作できるように管理するための支援システムとして、写真プリント装置ＥＰの消耗品切れ等の情報を携帯型端末ＨＴに報知するシステムが備えられている。
写真プリントシステムＤＰの本体から携帯型端末ＨＴへ、オペレータの対処を要求するものとして予め設定されている端末報知用の事象には、本実施の形態では、（１）印画紙マガジン６における印画紙残量が設定長さ以下になったこと、（２）ペーパエンドセンサ１１が印画紙２の後端を検出したこと、（３）現像処理装置ＰＰの補充液タンク内の補充液量が補充を推奨される程度に減少したこと、（４）現像処理装置ＰＰの補充液タンク内の補充液量が補充を必須とする程度に減少したこと、（５）ソータ７において仕上がりプリントが取り出されていないままのトレイ７ａが設定高さまで降下したこと、（６）ソータ７において仕上がりプリントが取り出されていないままのトレイ７ａが最下端位置まで降下して、そのままでは仕上がりプリントの落下を防止するためのソータ７が停止してしまうこと、並びに、（７）印画紙搬送系ＰＴ又は現像処理装置ＰＰ内で印画紙２の搬送詰まりが発生したこと、がある。
これらの端末報知用の事象以外に、モニタ４ｂに表示してオペレータに報知はするが、携帯型端末ＨＴにまでは報知しない発生事象として、現像処理装置ＰＰの各処理槽の温度制御を行うためのヒータが損傷したこと等を含む各種機器に損傷が発生したこと等がある。
【００２１】
これらのうち、（１）の検出については、印画紙マガジン６に収納されている印画紙ロールの長さの初期値から印画紙２の使用量を減算することによって露光制御装置１４が検出している。（３）及び（４）の検出については、補充液センサ１２による補充液量の検出を２段階で行うことにより検出している。又、（７）の検出については、印画紙搬送系ＰＴ等における印画紙２の搬送駆動量から推定される印画紙２の存在予定位置に印画紙２が搬送されてこないことをペーパセンサにて検出することにより行う。
従って、露光制御装置１４、ペーパエンドセンサ１１、補充液センサ１２、トレイペーパセンサ１３、及び、印画紙搬送系ＰＴの搬送経路途中に配置させるペーパセンサ、並びに、機器の損傷を検出する各種のセンサ等は、オペレータに報知するものとして予め設定されている事象が発生したことを検知する検知手段ＳＤとして機能している。
【００２２】
以下において、前記検知手段ＳＤが予め設定されている各事象の発生を検知したときの動作を、主制御装置４が実行する処理を示す図４のフローチャート、及び、携帯型端末ＨＴにおいて実行される処理を示す図５のフローチャートに基づいて説明する。
主制御装置４は、露光制御装置１４から、上記検知手段ＳＤのいずれかが所定の事象の発生を検知したことを示す信号を受け取ったときに、図４の処理を開始する。
露光制御装置１４から各種のエラーや消耗品切れ等の上記各種事象が発生したことを示す信号を受け取ると、その信号に対応するメッセージをモニタ４ｂに表示する（ステップ＃１）。このメッセージの表示には、適宜に必要な対処の手順等も併せて表示される。
【００２３】
次に、露光制御装置１４から通知を受けた発生事象が前記端末報知用の事象（（１）〜（７）の事象）に該当するときは（ステップ＃２）、更に、その発生事象が報知切換え可能な事象であるか否かを判別する（ステップ＃３）。
すなわち、前記端末報知用の事象である（１）〜（７）の事象のうち、（２），（４），（６）及び（７）の事象については、常に携帯型端末ＨＴに報知する事象として設定されており、他の（１），（３）及び（５）の事象については、携帯型端末ＨＴに報知するか否かを切換え設定可能な事象として設定されており、前記端末報知用の事象を２グループに区分している。
（１），（３），（５）の事象について、携帯型端末ＨＴに報知するか否かの切換えは、操作卓４ｃ等を操作することにより、モニタ４ｂ画面上から予め設定できるように構成されている。
【００２４】
露光制御装置１４から通知を受けた前記端末報知用の事象に該当する事象が、常に携帯型端末ＨＴに報知する事象であるとき（ステップ＃３）、及び、携帯型端末ＨＴに報知するか否かを切換え設定可能な事象であって、その設定情報が携帯型端末ＨＴに報知するように設定されている事象であるときは（ステップ＃３，＃４）、前記端末報知用の事象が発生したことを示す事象発生信号を全ての携帯型端末ＨＴに無線通信インターフェース２１を経て送信する（ステップ＃５）。
すなわち、主制御装置４は、前記検知手段ＳＤにて発生を検知した事象のうち前記端末報知用の事象が生じたときにのみ、前記事象発生信号を複数の携帯型端末ＨＴへ送信するように構成されている。前記検知手段ＳＤにて発生を検知した事象が前記端末報知用の事象に該当しないときは、前記検知手段ＳＤの検知情報を送信せずに終了する。
【００２５】
携帯型端末ＨＴでは、前記事象発生信号を主制御装置４から受け取ると、図５に示す報知受信処理を開始する。
携帯型端末ＨＴには、いわゆる携帯電話に備えられているバイブレータと同様の、携帯型端末ＨＴの筐体を振動させる振動装置が備えられており、先ずこの振動装置による一定周期の間歇鳴動を開始させ（ステップ＃１１）、それと共に、主制御装置４から受け取った信号の発生事象に対応するエラーメッセージを携帯型端末ＨＴのモニタ４１に表示させる（ステップ＃１２）。
この振動装置の間歇鳴動は、オペレータが携帯型端末ＨＴのボタン操作を行って、表示メッセージを確認したことを入力するか（ステップ＃１３）、あるいは、間歇鳴動開始から設定時間（数秒から数十秒程度）経過したとき（ステップ＃１４）に停止させ（ステップ＃１５）、更に、エラーメッセージのモニタ表示も消去する（ステップ＃１６）。
この後、オペレータに報知するための、ステップ＃１１〜ステップ＃１６の処理よりなる一連の設定報知動作を、タイマーの計時により設定間隔（例えば、１分等）が経過する毎に繰り返す（ステップ＃２０）。
【００２６】
この間、主制御装置４は、いずれかのオペレータが写真プリントシステムＤＰの設置箇所に移動して、報知したエラーに対する修復操作を実行するのを待機している（図４のステップ＃６）。
オペレータが必要な修復操作に着手したか否かは、主制御装置４のモニタ４ｂに表示されている対処手順に従って、オペレータが操作卓４ｃから何らかの入力操作を行ったことにより検知できる。従って、主制御装置４及び操作卓４ｃは、携帯型端末ＨＴへの報知の原因となった事象を解消するための修復操作が開始されたことを検知する修復操作検知手段ＲＳとして機能する。
オペレータによる修復操作が開始されたことを検知すると（ステップ＃６）、全ての携帯型端末へ前記修復操作が開始されたことを示す修復開始信号を送信する（ステップ＃７）。
尚、オペレータが必要な修復操作に着手したか否かの検出は、例えば、印画紙切れを検出した場合であれば、印画紙マガジン６が写真プリント装置ＥＰの筐体から離脱されたのを検出することによって行っても良いし、又、その他の発生事象であれば、写真プリント装置ＥＰの筐体の前面扉が開放されたのを検出することによって行っても良い。
【００２７】
携帯型端末ＨＴは、前記設定報知動作を設定間隔で繰り返しているときに、主制御装置４から前記修復開始信号を受け取ると（図５のステップ＃１７）、オペレータが修復作業に着手したことを示すメッセージをモニタ４１に表示する（ステップ＃１８）。従って、携帯型端末ＨＴのモニタ４１は、前記修復開始信号に対応するメッセージを表示する修復開始メッセージ表示手段ＳＳとして機能している。
尚、この前記修復開始信号の受信によっては、前記設定報知動作の繰り返しを停止させない。
主制御装置４は、前記修復開始信号を送信した後、必要な修復操作を全て行って対処作業が完了するのを待機しており（図４のステップ＃８）、前記検知手段ＳＤの検知情報が元の状態に復帰すること等によって、修復操作が完了して携帯型端末への報知の原因となった事象が解消したことを検知すると、その旨を示す事象解消信号を全ての携帯型端末ＨＴに送信する（ステップ＃９）。
【００２８】
携帯型端末ＨＴは、前記事象解消信号を受け取ると（図５のステップ＃１９）、上述の修復作業に着手したことを示すメッセージを消去して、前記事象解消信号に対応するメッセージである、必要な対処が全て完了したことを示すメッセージをモニタ４１に表示する（ステップ＃２１）。従って、携帯型端末ＨＴのモニタ４１は、前記事象解消信号に対応するメッセージを表示する解消メッセージ表示手段ＭＳとして機能している。
ステップ＃１１〜ステップ＃２０の繰り返しループからステップ＃２１へ分岐することによって、携帯型端末ＨＴにおける前記設定報知動作の繰り返しが停止されることになる。
この後、オペレータが携帯型端末ＨＴのボタン操作によってメッセージの表示を確認した旨を入力すると（ステップ＃２２）、必要な対処が完了したことを示すメッセージを消去して（ステップ＃２３）、終了する。
以上から、主制御装置４，モニタ４ｂ及び無線通信インターフェース２１等にて、前記検知手段ＳＤの検知情報を報知する報知手段ＡＬが構成され、この報知手段ＡＬには、主制御装置４及び無線通信インターフェース２１にて構成されて、オペレータが所持する無線通信機能付きの携帯型端末ＨＴへ前記検知情報を報知する無線式報知手段ＲＡが含まれるものとなっている。
【００２９】
〔別実施形態〕
以下、本発明の別実施形態を列記する。
＜１＞上記実施の形態では、写真処理装置として写真プリントを作製する写真プリントシステムを例示しているが、写真フィルムを現像処理するフィルム現像装置等の各種の写真処理装置にも本発明を適用できる。
＜２＞上記実施の形態では、携帯型端末ＨＴは、振動装置にて携帯型端末ＨＴの筐体を振動させてオペレータに前記事象発生信号の受信を報知しているが、一般的な携帯電話の着信音と同様の呼び出し音を発生させるようにしても良い。
【００３０】
＜３＞上記実施の形態では、携帯型端末ＨＴは前記修復開始信号や前記事象解消信号を受信したときに、それらの信号に対応するメッセージを表示しており、それらのメッセージの情報自体は携帯型端末ＨＴ側に保持されている場合を例示しているが、前記修復開始信号や前記事象解消信号自体をメッセージそのもので構成し、携帯型端末ＨＴは受け取ったそれらのメッセージを単にモニタ４１に表示させるように構成しても良い。
＜４＞上記実施の形態では、主制御装置４から携帯型端末ＨＴへ前記事象発生信号を送信した後は、前記設定報知動作の繰り返しを携帯型端末ＨＴ側の制御によって行う場合を例示しているが、主制御装置４から携帯型端末ＨＴへ前記事象発生信号を設定間隔で繰り返し送信し、携帯型端末ＨＴへの報知の原因となった事象が解消したときには、前記事象発生信号の送信を停止することで、携帯型端末ＨＴにおける前記設定報知動作の繰り返しと、前記設定報知動作の繰り返しの停止とを主制御装置４側で制御するように構成しても良い。
＜５＞上記実施の形態では、主制御装置４が前記事象発生信号を送信する携帯型端末ＨＴが複数個存在する場合を例示しているが、携帯型端末ＨＴは必ずしも複数である必要はなく、前記事象発生信号の送信対象が単一の携帯型端末ＨＴである場合にも本発明を適用できる。
【図面の簡単な説明】
【００３１】
【図１】本発明の実施の形態にかかる写真プリントシステムのブロック構成図
【図２】本発明の実施の形態にかかる写真プリントシステムのブロック構成図
【図３】本発明の実施の形態にかかる写真プリントシステムの外観斜視図
【図４】本発明の実施の形態にかかるフローチャート
【図５】本発明の実施の形態にかかるフローチャート
【符号の説明】
【００３２】
ＡＬ  報知手段
ＨＴ  携帯型端末
ＭＳ  解消メッセージ表示手段
ＲＡ  無線式報知手段
ＲＳ  修復操作検知手段
ＳＤ  検知手段
ＳＳ  修復開始メッセージ表示手段
【図１】
2006243382.tif 000003
【図２】
2006243382.tif 000004
【図３】
2006243382.tif 000005
【図４】
2006243382.tif 000006
【図５】
2006243382.tif 000007